(57)【要約】本発明は、膜フィルター（１）に関する。当該膜フィルター（１）は、少なくとも一端に変形させることによって形成した溝部（１３）を有する押出チューブ（２）、長手方向に延在する複数の長尺フィルター要素（４）、および少なくとも一端に配置される合成樹脂プラグ（５）であって長尺フィルター要素（４）が当該合成樹脂プラグ（５）を通るように延在する合成樹脂プラグ（５）を有して成る。本発明の利点は、チューブ（２）の外壁が損なわれず、当該外壁がその強度を維持していることである。
2004523344.tif 000002
【特許請求の範囲】
【請求項１】
変形させることによって形成した溝部を少なくとも一方の端部に有する押出チューブ、
長手方向に延在する複数の長尺フィルター要素、および
該少なくとも一方の端部に配置される合成樹脂プラグであって、長尺フィルター要素が通過する合成樹脂プラグ
を有して成る膜フィルター。
【請求項２】
溝部は、チューブ端部を加熱した後に変形することによって形成する、請求項１に記載の膜フィルター。
【請求項３】
チューブは、半径方向に延在する接続開口部を有して成る、請求項１または請求項２に記載の膜フィルター。
【請求項４】
パイプ・パーツが、接続開口部に配置される、請求項３に記載の膜フィルター。
【請求項５】
パーフォレーションがチューブの壁部に設けられている、請求項１〜請求項４のいずれかに記載の膜フィルター。
【請求項６】
少なくともチューブは、ポリ塩化ビニル、ポリエチレン、ポリプロピレンまたは他の熱可塑性樹脂から成る、請求項１〜請求項５のいずれかに記載の膜フィルター。
【請求項７】
チューブを押し出す工程、
押出チューブの端部を加熱する工程、
チューブの端部に溝部が形成されるように端部を変形する工程、
長手方向に延在する複数の長尺フィルター要素をチューブに配置する工程、および
プラグを形成するために少なくとも該端部に合成樹脂を流し込む工程
を含んで成る、請求項１〜請求項６のいずれかに記載の膜フィルターを製造する方法。
【発明の詳細な説明】
【０００１】
本発明は、膜フィルターに関する。
【０００２】
膜フィルター・キャピラリーを備えた既知の膜フィルターは、塩ビパイプ・スリーブから成り、その中では、両側部にてキャピラリーが合成樹脂でもって包封（または封止）されている。両端部において、このパイプ・スリーブの外側には接着剤によって、機械加工によって周辺溝部が形成されている強化ブッシュが配置されている。濾液を排出するために、更なる１または２つの付加的なブッシュが更に備えられ、当該ブッシュには接続部が供されている。かかる膜フィルターの欠点は、強化ブッシュに余分な材料を要するために通常重い構造であるとともに、接着操作および機械加工操作を行なわなければならないので、かかる膜フィルターのコストが高いことである。
【０００３】
本発明の目的は、上述の欠点を取り除くことである。この目的は、
変形させることによって形成した溝部を少なくとも一方の端部に有する押出チューブ、
長手方向に延在する複数の長尺フィルター要素、および
その少なくとも一方の端部に配置された合成樹脂プラグであって、長尺フィルター要素が当該合成樹脂プラグを通るように延在する合成樹脂プラグ
を有して成る本発明の膜フィルターでもって達成される。
【０００４】
本発明のかかる膜フィルターの利点は、押出チューブの外壁が機械加工操作によって損傷することがなく、従って、外壁が十分な強度を維持し、旋削パーツまたは射出成形パーツを接着することを必要としないことである。合成樹脂プラグは、例えば、ポリプロピレンから成るものであってよい。本発明の膜フィルターの別の利点は、溝部が内側へと突出しており、合成樹脂が当該溝部周りに形成されるので、チューブに配置される合成樹脂（ポッティング材（ｐｏｔｔｉｎｇ）ともいう）によって、軸方向と半径方向との双方に更なる強度がもたらされることである。別の大きな利点は、この膜フィルターを最小限の材料重量で設計できることである。
【０００５】
押出チューブは、比較的安い値段で種々の直径および種々の圧力クラスにて容易に入手することができるものの、圧力に耐えるのに十分な強度を供する。更に、押出チューブの長さは製造プロセスによって制限されるものではなく、その結果、本発明の膜フィルターをいずれの所望の長さにでも低コストで製造することができる。
【０００６】
本発明の好ましい態様において、溝部は、チューブ端部を加熱した後に変形することによって形成する。
【０００７】
溝部は、マニホールドに接続される「ヴィクトリック（ｖｉｃｔａｕｌｉｃ）」クランプ接続部に対して適当となるように形成してもよい。
【０００８】
また、スリーブがチューブ端部上で滑動（または摺動）するためのキー溝（ｋｅｙ  ｗａｙ）として溝部を用いることができる。
【０００９】
本発明の膜フィルターの別の態様において、チューブは、半径方向に延在する接続開口部を有して成る。パイプ・パーツは、当該接続開口部に配置することができる。チューブを加熱してチューブ壁部を変形することができ、チューブ端部を有する開口部をチューブと一体的に形成できる。このように、接続部は簡単な方法でチューブに作ることができる。
【００１０】
本発明の膜フィルターは、チューブ壁部に設けられるパーフォレーション（または穿孔部、ｐｅｒｆｏｒａｔｉｏｎ）を更に有して成るものであってもよい。フィルターを液溜め（またはベイスン、ｂａｓｉｎ）にサスペンドさせ、洗浄媒体をフィルターを通って引き込む場合にかかる態様を用いることができる。
【００１１】
本発明の膜フィルターのチューブは、ポリ塩化ビニル、ポリエチレン、ポリプロピレンまたは他の熱可塑性樹脂から成るものであってもよい。
【００１２】
本発明は、
チューブを押し出す工程、
押し出したチューブの端部を加熱する工程、
チューブの端部に溝部が形成されるように端部を変形する工程、
長手方向に延在する複数（または多数）の長尺フィルター要素をチューブに配置する工程、および
プラグを形成するために少なくとも一方の端部に合成樹脂を流し込む工程
を含んで成る、本発明の膜フィルターの製造方法を更に含んで成る。
【００１３】
溝部の位置において軸方向の力と半径方向の力とがフィルター・ハウジングに作用する場合、チューブの内側に配置されるポッティング材もまた壁部を双方の方向に強化させるものとして機能することと出願人は推測している。更に、溝部が形成される間、壁部は二軸延伸（ｂｉａｘｉａｌ  ｏｒｉｅｎｔａｔｉｏｎ）の結果として強化されることを推測している。
【００１４】
添付の図面を参照にて、本発明のこのような特徴および他の特徴を更に説明する。
【００１５】
図１は、膜フィルター１の第１態様を示す。この膜フィルター１は、押出チューブ２を有しており、当該押出チューブ２は、その端部において、変形させることによって形成した溝部３を有して成る。端部にて合成樹脂プラグ５に封入される長尺キャピラリーチューブ４がチューブ２内に配置されている。濾過される媒体は、矢印Ａの方向でキャピラリーチューブ４に供給された後、チューブから半径方向へと流出し、引き続いて、当該チューブ２に備えられた出口開口部６を通ってチューブ２から流出することができる。
【００１６】
合成樹脂プラグ５が、内側にて溝部３の周囲に注型される（または流し込まれる）ので、チューブ２の端部および溝部３に更なる強度がもたらされることになる。
【００１７】
図２は、本発明の膜フィルターの第２態様を示す。このフィルター１０は、図１のフィルターと大部分類似し、それゆえ、同様の要素が同じ参照番号でもって示されている。
【００１８】
媒体が流れ去ることができる接続部１１を設ける位置に、周状チャンバー１２がチューブ壁部２に形成される。このチャンバー１２は、溝部３と同様な方法で形成することができる。穴を形成したブッシュ１３（またはパーフォレーションを有するブッシュ）が、チャンバー１２の位置にてキャピラリーチューブ４の周りに更に配置される。このブッシュは、膜フィルターを洗浄する際にキャピラリーチューブ４を保護する機能を有する。このような洗浄は、開口部１１を経て注入された後、半径方向でキャピラリーチューブ４に入る洗浄液体によって行なわれる。流れ方向は、通常の使用の間の流れ方向と反対である。
【００１９】
溝部３を螺旋状の溝として設けることが可能であり、従って、接続ピースを膜フィルターにねじ止めすることができる。フィルター要素を合成樹脂に注封する（ｐｏｔ）前に、良好な接着状態を得るために、そのような位置にてチューブ表面を処理する必要がある。また、溝部３の代わりにフランジを形成して、例えば「スナップ接続」としてカップリング（または継手部）を形成することが可能である。この場合、溝部の代わりに突出部（ｂｕｌｇｅ）を設けることとなるが、差込みフィッティング（ｂａｙｏｎｅｔ  ｆｉｔｔｉｎｇ）等の他の機械的継手も同様な方法でチューブ端部に形成することができる。更に、キャピラリーチューブ４をハウジングに入れる代わりに、例えば「スパイラル状に巻かれた」タイプのフィルター要素等、他の態様のフィルター要素を包封（または注型）することも可能である。
【００２０】
本発明の膜フィルターの第３態様（図示せず）は、例えば図１の膜フィルター１と大部分が対応する。この第３態様において、チューブ壁部２には多数のパーフォレーションが設けられている。その結果、媒体が出口開口部６を通って流出または流入することができるだけでなく、媒体がパーフォレーションを通って流出または流入することができる。この第３態様の膜フィルターは、水処理において有利である。このような目的のために、これらの膜フィルターを洗浄用の水のベイスンにサスペンドさせ、洗浄用の水をパーフォレーションを介してキャピラリーチューブ４を通るようにしてフィルターへと取り込む。フィルター要素および濾過媒体のサクション（または吸込）のかかる構成に関する利点は、より低い圧力を用いることができ、従って、キャピラリーチューブ４が、それほど速く汚染されないことである。
【図面の簡単な説明】
【００２１】
【図１】図１は、一部分解切除されたパーツを有する本発明の膜フィルターの第１態様の斜視図を示す。
【図２】図２は、一部分解切除されたパーツを有する本発明の膜フィルターの第２態様の斜視図を示す。
【国際公開パンフレット】
2004523344.tif 000003
2004523344.tif 000004
2004523344.tif 000005
2004523344.tif 000006
2004523344.tif 000007
2004523344.tif 000008
2004523344.tif 000009
2004523344.tif 000010
2004523344.tif 000011
【国際調査報告】
2004523344.tif 000012
2004523344.tif 000013
2004523344.tif 000014